【手続補正書】
【提出日】平成21年6月11日(2009.6.11)
【手続補正１】
【補正対象書類名】明細書
【補正対象項目名】００５８
【補正方法】変更
【補正の内容】
【００５８】
なお、スリット３５は、略櫛歯状に限らず、丸孔や長孔、楕円孔、角孔などの開孔部であってもよい。要は、回転破砕部４０Ａの左右端面４４ｃと対向する位置に回転破砕部４０Ａとの協働で破砕物を通過させ得るよう設けられていればよい。
【手続補正２】
【補正対象書類名】明細書
【補正対象項目名】００６７
【補正方法】変更
【補正の内容】
【００６７】
（循環型破砕機構を搭載したトイレ装置）
続いて、上述した循環型破砕機構１０を適用した装置の具体例として、この循環型破砕機構１０を搭載したこの発明に係るトイレ装置を説明する。トイレ装置に搭載した循環型破砕機構１０としては図１６の内容を具体化したものである。破砕処理を適用したトイレ装置としては、特に可搬型で室内でも使用できるようにした簡易トイレ装置に適用した場合である。
【手続補正３】
【補正対象書類名】明細書
【補正対象項目名】００６９
【補正方法】変更
【補正の内容】
【００６９】
この簡易トイレ装置１００は、便器本体１１０と、この便器本体１１０の下面側の投入口２１に取り付けられた循環型破砕機構１０とで構成される。循環型破砕機構１０の構成は前述した通りであるが、詳細な構成は後述する。この循環型破砕機構１０には粒状化された破砕物を下水管側に圧送するための圧送手段１５０を備える。
【手続補正４】
【補正対象書類名】明細書
【補正対象項目名】００７１
【補正方法】変更
【補正の内容】
【００７１】
便器本体１１０の内部には、座部１１１から連なって概略漏斗状をなす誘導筒部１２０が位置する。誘導筒部１２０の下端開口部１２１に、循環型破砕機構１０が取り付け固定される。そのため、この下端開口部１２１が循環型破砕機構１０に設けられた投入口２１に臨むように、しかも液密となるように取り付け固定される。
【手続補正５】
【補正対象書類名】明細書
【補正対象項目名】００７２
【補正方法】変更
【補正の内容】
【００７２】
循環型破砕機構１０は便器本体１１０の底部１２２に、ガタ付かないように取り付け固定されるが、その固定部材については図示しない。
【手続補正６】
【補正対象書類名】明細書
【補正対象項目名】００７３
【補正方法】変更
【補正の内容】
【００７３】
循環型破砕機構１０は上述したように筒状本体２０を有する。図１８に示すように筒状本体２０の投入口２１には投入口用の開閉蓋６１を備えた開閉機構６０が設けられる。この開閉蓋６１はスライド駆動部８０によってスライドさせることで開閉が行われる。一方排出口２３には閉止弁部材の一部として機能する排出口用の閉塞蓋２５が回動自在に設けられる。排出口２３と下水管との間には連結管８６が配管され、この連結管８６に閉止弁部材の一部として機能する電磁弁８５が取り付けられて破砕水の制御が行われる。
【手続補正７】
【補正対象書類名】明細書
【補正対象項目名】００９６
【補正方法】変更
【補正の内容】
【００９６】
図３２および図３３に示すように、係合棒７１には、係合駒７２が係合固定される。係合駒７２は矩形体であって、図３２に示すように一対の補助板６２ａ，６２ｂの間に位置し、係合駒７２の中央部には係合棒７１が係着される係合溝７２ａ（図３３）を有する。係合駒７２の側面には図３３のように一対のロッド７３ａ，７３ｂが連結される。これらロッド７３ａ，７３ｂは筒状本体２０の側面に取り付けられた駆動部８０によってその進退が制御される。駆動部８０はソレノイドなどを使用できる。ロッド７３ａ，７３ｂの進退位置はセンサ（図示はしない）によって監視される。駆動部８０は圧縮空気によって作動するエアーシリンダを使用してもよい。
【手続補正８】
【補正対象書類名】明細書
【補正対象項目名】０１０２
【補正方法】変更
【補正の内容】
【０１０２】
制御部２００ではこれらの入力信号に基づいて各種の処理が予め定められたタイミングに実行される。制御部２００では駆動モータ９０の制御が行われる。駆動モータ９０は、少なくとも回転破砕部４０Ａの回転駆動、閉塞蓋２５に対する開閉用クラッチ制御（クラッチは図示しない）などが行われる。制御部２００では駆動部８０による開閉蓋６１の開閉制御が行われる。給水タンク１１４からの給水を制御するため、給水タンク１１４に備えられた給水弁９５に対する開閉制御が行われる。図１８には給水弁９５は図示されていない。制御部２００ではエアーコンプレッサ１５０による圧送制御が行われる。制御部２００では、排出口２３側に設けられた排出弁（電磁弁）８５の制御が行われる。
【手続補正９】
【補正対象書類名】明細書
【補正対象項目名】０１１９
【補正方法】変更
【補正の内容】
【０１１９】
循環型破砕機構１０を適用することで破砕処理時間が短縮される。循環型破砕機構１０を小型、簡素に設けることができるので簡易トイレ装置１００へ循環型破砕機構１０を設けることが容易である。
【手続補正１０】
【補正対象書類名】明細書
【補正対象項目名】０１２２
【補正方法】変更
【補正の内容】
【０１２２】
【図１】この発明に係る循環型破砕機構を説明するための概念図（その１）である。
【図２】循環型破砕機構に使用される内筒の概念図である。
【図３】循環型破砕機構に使用される回転破砕部の概念図である。
【図４】循環型破砕機構に使用される固定破砕部の概念図である。
【図５】循環型破砕機構の動作説明に供する概念図である。
【図６】この発明に係る循環型破砕機構を説明するための概念図（その２）である。
【図７】この発明に係る循環型破砕機構を説明するための概念図（その３）である。
【図８】回転破砕刃と回転羽根との関係を示す平面図である。
【図９】この発明に係る循環型破砕機構を説明するための概念図（その４）である。
【図１０】この発明に係る循環型破砕機構を説明するための概念図（その５）である。
【図１１】この発明に係る循環型破砕機構を説明するための概念図（その６）である。
【図１２】図１１に使用される内筒の概念図である。
【図１３】この発明に係る循環型破砕機構を説明するための概念図（その７）である。
【図１４】この発明に係る循環型破砕機構を説明するための概念図（その８）である。
【図１５】この発明に係る循環型破砕機構を説明するための概念図（その９）である。
【図１６】この発明に係る循環型破砕機構を説明するための概念図（その１０）である。
【図１７】この発明に係るトイレ装置を簡易トイレ装置に適用したときの概念図である。
【図１８】図１７における簡易トイレ装置の要部の断面図である。
【図１９】循環流促進部として機能する促進板の一例を示す斜視図である。
【図２０】筒状本体と促進板との取り付け関係を示す平面図である。
【図２１】内筒の一例を示す平面図である。
【図２２】内筒の展開図である。
【図２３】固定破砕部として機能する円盤の一例を示す平面図である。
【図２４】回転破砕刃の一例を示す平面図である。
【図２５】図２４に示す回転破砕刃の斜視図である。
【図２６】回転破砕刃の他の例を示す平面図である。
【図２７】図２６に示す回転破砕刃の斜視図である。
【図２８】促進板に回転破砕刃等を装着した状態を示す一部の断面図である。
【図２９】投入口側の開閉機構の一例を示す閉じた状態での要部断面図である。
【図３０】投入口側の開閉機構の一例を示す開けた状態での要部断面図である。
【図３１】ガイド板の一部の側面図である。
【図３２】投入口側の開閉機構の平面図である。
【図３３】図３２の一部を省略した側面図である。
【図３４】破砕処理を行うための処理系の一例を示す系統図である。
【図３５】その動作説明に供する波形図である。
【手続補正１１】
【補正対象書類名】図面
【補正対象項目名】図２６
【補正方法】変更
【補正の内容】
【図２６】
2008086880.tif 000001